(57)【要約】【課題】  盗難を防止するとともに使用者の開閉作業はスムーズに行うことができ、且つ、見栄えも良好なファスナ装置を提供する。【解決手段】  収納体１の開口縁に装着する一対のファスナテープ２と、一対のファスナテープ２が有する多数の務歯同士を噛合わせ又は離間させるスライダ４とを備えるファスナ装置において、スライダ４には、収納体１の内外方向に出入自在な操作棒８を備える。また、収納体１の内部には、挿通孔１３を形成したスライド規制部材１２を備える。そして、一対のファスナテープ２間を封止する位置にあるスライダ４から収納体１内に操作棒８を押し入れたときに、該操作棒８がスライド規制部材１２の挿通孔１３に挿通するように設ける。【選択図】        図１
2010057689.tif 000002
【特許請求の範囲】
【請求項１】
収納体の開口縁に装着する一対のファスナテープと、一対のファスナテープが有する多数の務歯同士を噛合わせ又は離間させるスライダとを備えるファスナ装置において、スライダに、収納体の内外に出入自在な操作棒を連結させて備えたことを特徴とするファスナ装置。
【請求項２】
操作棒は、収納体から引き出した位置でスライダに対して揺動自在となることを特徴とする請求項１記載のファスナ装置。
【請求項３】
収納体の内部に、挿通孔を形成したスライド規制部材を備え、一対のファスナテープ間を封止する位置にあるスライダから収納体内に操作棒を押し入れたときに該操作棒がスライド規制部材の挿通孔に挿通するように設けたことを特徴とする請求項１又は２記載のファスナ装置。
【発明の詳細な説明】
【技術分野】
【０００１】
本発明は、スリ犯等による盗難を防止することができるファスナ装置に関する。
【背景技術】
【０００２】
鞄等の収納体には、開口部分を開閉自在とするためにファスナ装置が好適に備えられる。このファスナ装置は、収納体の開口縁に装着する一対のファスナテープと、一対のファスナテープが有する多数の務歯同士を噛合わせ又は離間させるスライダとを備える。
【０００３】
上記ファスナ装置においては、スライダを引っ張りやすくするため、布等を用いて形成した大型の引き手部材を、スライダに連結させて備えてあることが一般的である。しかし、このような大型の引き手部材は、スリ犯等にとってもつまみ易いものであるため、盗難の被害にあうおそれがあるといった問題がある。この問題に対しては、スライダを移動させることができないように南京錠等の錠前を用いて施錠しておくといった対策が、従来からとられている（特許文献１参照）。
【０００４】
しかし、上記対策をとった場合には、使用者がファスナを開けようとするたびに錠前を操作して解錠させ、再びファスナを締める場合には錠前を操作して施錠する必要があり、開閉のたびに手間がかかるといった問題がある。また、錠前等の構造が露出することで、ファスナ装置ひいては鞄等の収納体全体の見栄えが悪くなるといった問題がある。
【特許文献１】特開２００３−２１０２１１号公報
【発明の開示】
【発明が解決しようとする課題】
【０００５】
本発明は上記問題点に鑑みて発明したものであって、スリ犯等による盗難を防止するとともに使用者の開閉作業はスムーズに行うことができ、且つ、見栄えも良好なファスナ装置を提供することを、課題とする。
【課題を解決するための手段】
【０００６】
上記課題を解決するために本発明を、収納体１の開口縁に装着する一対のファスナテープ２と、一対のファスナテープ２が有する多数の務歯３同士を噛合わせ又は離間させるスライダ４とを備えるファスナ装置において、スライダ４に、収納体１の内外に出入自在な操作棒８を連結させて備えたものとする。このようにすることで、ファスナテープ２間を封止する位置にスライダ４を位置させたときに、操作棒８を収納体１内に押し入れて隠しておけば、スリ犯等にとってはスライダ４を動かすことが困難となり、盗難の被害にあうことが防止される。また、使用者がファスナを開けたい場合には、操作棒８をつまんで引き出したうえでそのままスライダ４を動かせばよいので、使用者にとっては開閉動作を容易に行うことができる。しかも、ファスナテープ２間を封止してある間は操作棒８の大部分が収納体１内に隠れるので、見栄えが良好になるという利点もある。
【０００７】
また、本発明のファスナ装置において、操作棒８は、収納体１から引き出した位置でスライダ４に対して揺動自在となることが好ましい。このようにすることで、引き出した状態にある操作棒８をそのまま揺動自在に引っ張って扱い、スライダ４を円滑に動かすことができる。つまり、使用者にとっては更にスムーズな開閉動作が実現される。
【０００８】
また、本発明のファスナ装置において、収納体１の内部に、挿通孔１３を形成したスライド規制部材１２を備え、一対のファスナテープ２間を封止する位置にあるスライダ４から収納体１内に操作棒８を押し入れたときに該操作棒８がスライド規制部材１２の挿通孔１３に挿通するように設けることも好ましい。このようにすることで、仮にスライダ４自体をつまむ等してスライドさせようとした場合であっても、操作棒８がロックバーのように働くことで、スライダ４のスライド移動を停止させることができる。
【発明の効果】
【０００９】
本発明は、スリ犯等による盗難を防止するとともに、使用者にとっては開閉作業をスムーズに行うことができ、さらに見栄えも良好に保つことができるという効果を奏する。
【発明を実施するための最良の形態】
【００１０】
本発明を添付図面に示す実施形態に基づいて説明する。図１には、本発明の実施形態における一例のファスナ装置を装着した収納体１を示している。収納体１は、例えば鞄であるが、ファスナ装置を装着することで開口部分を開閉できるものであれば、鞄には限定されない。
【００１１】
収納体１には、該収納体１内から収納物を出し入れできるように開口部分を形成している。該開口部分の開口縁には、一対のファスナテープ２を装着している（図３、図４参照）。ファスナテープ２の一方の長辺側には、その長辺方向に沿って多数の務歯３を列設しており、両ファスナテープ２の対向する務歯３同士が噛合うように設けている。
【００１２】
ファスナテープ２には、箱型のスライダ４を、務歯３が列設される長辺方向に沿ってスライド自在に装着させている。スライダ４は、そのスライド移動によって、両側のファスナテープ２が有する多数の務歯３を順に噛み合わせ又は離間させるものである。スライダ４がそのスライド範囲内の一端に位置したときには、対向する務歯３同士を噛み合わせて一対のファスナテープ２間を封止し、スライダ４がそのスライド範囲内の他端に位置したときには、対向する務歯３同士を離間させて一対のファスナテープ２間を全開放する。
【００１３】
スライダ４の胴体部分の上面には、引き手５を連結させるための引掛け部６を、コ字状に延設している。引き手５は貫通孔７を有する小片状の部材であり、該貫通孔７内に引掛け部６を通すことで、スライダ４に対して回動自在に取り付けてある。
【００１４】
そして、スライダ４に備えてある小型の上記引き手５に対して、本発明の盗難防止手段を成す操作棒８を連結させている。操作棒８は、引き手５の幅方向に貫通形成してある連結孔９内に貫通させて備えた棒状の部材である。操作棒８の軸方向一端側には球状の抜け止め部１０を形成しており、操作棒８の軸方向他端側には、抜け止め部としても機能する板状の摘み部１１を形成している。この抜け止め部１０や摘み部１１によって、操作棒８は引き手５に対して抜け止めされている。
【００１５】
操作棒８は、その軸方向に沿って、引き手５に対してスライド自在に連結される（図５（ａ）参照）。したがって、引き手５を収納体１の開口面と平行に保った状態で操作棒８を押し込むと、操作棒８の抜け止め部１０を形成してある側の端部が収納体１内に挿入されてゆく。
【００１６】
ここで、収納体１の内部には、上記操作棒８と共に盗難防止手段を成すスライド規制部材１２を備えている。スライド規制部材１２は、収納体１の開口部分近傍に固定した部材であり、収納体１の開口部分に向けて開口するように挿通孔１３を貫通形成している（図３参照）。
【００１７】
図１、図３に示すスライダ４は一対のファスナテープ２間を封止する位置（以下「封止位置」という）にあるが、この封止位置にあるスライダ４の引き手５に設けてある連結孔９と、上記スライド規制部材１２の挿通孔１３とが、所定距離を隔てて対向するように配置している。したがって、操作棒８の抜け止め部１０側を収納体１内に押し入れると、抜け止め部１０はスライド規制部材１２の挿通孔１３内を通過して収納体１の内方へと移動し、摘み部１１が引き手５と当たる位置で止められる。
【００１８】
操作棒８を収納体１内に押し入れた図１の位置にて、操作棒８は一端側の抜け止め部１０を収納体１の内壁に近接して位置させ、他端側の摘み部１１をスライダ４の引き手５に係止させ、更に両端間の部分をスライド規制部材１２の挿通孔１３に挿通させた状態となる。
【００１９】
ここで、例えばスリ犯等がファスナを開けようとする場合、操作棒８はその大部分が収納体１内に隠れているため、まず操作棒８の存在自体に気付くことが困難となる。また、仮に操作棒８の存在に気付いた場合であっても、摘み部１１をつまんで一旦引っ張り出す必要があるため、速やかにファスナを開けることができない。この摘み部１１をつまんで操作棒８を引き出すステップが、盗難を防止するように作用する。
【００２０】
また、仮にスリ犯等がスライダ４の胴体部分をつまんでそのままスライドさせようとした場合には、図２に示すように操作棒８がロックバーのように働き、スライダ４のスライド移動を停止させる。つまり、スライダ４を封止位置から離れる方向にスライドさせると、これに伴って操作棒８はスライド規制部材１２の挿通孔１３を中心としてシーソー状に回動し、操作棒８の抜け止め部１０を形成してある側の端部が収納体１の内壁に押し当たることでそれ以上の回動を禁止する。これにより、スライダ４のスライド移動が停止する。
【００２１】
これに対して、使用者がファスナを開こうとする場合には、図３、図４に示すような手順に従えばよい。即ち、まず図３に示すように摘み部１１をつまんで操作棒８を収納体１の外方に引っ張る。すると、収納体１内に位置していた操作棒８の抜け止め部１０は、スライド規制部材１２の挿通孔１３内を通過し、更に収納体１の開口部分を通って外方に移動し、該抜け止め部１０が引き手５の連結孔９内周縁と当たる位置で止められる。この位置にて、操作棒８は球状の抜け止め部１０を中心として、全方向に揺動自在となる（図５（ｂ）参照）。したがって、使用者は摘み部１１をつまんだ状態のままで、図４に示すようにファスナを開く方向に引っ張ればよい。スライダ４の胴体部は操作棒８および引き手５を介してそのまま引っ張られ、ファスナを開放させる。操作棒８は引き手５を介してスライダ４に対して揺動自在であるから、このときの引っ張り作業はスムーズに行われる。
【００２２】
使用者がファスナを閉じようとする場合には、逆の手順に従えばよい。即ち、操作棒８をつまんでスライダ４を引っ張ることでファスナを閉じてゆき、スライダ４が封止位置に至ったときに操作棒８を収納体１の内方に押し込めばよい。
【００２３】
本例のファスナ装置によれば、上記したように、収納体１の内外方向に出入自在な操作棒８をスライダ４に備え、挿通孔１３を形成したスライド規制部材１２を収納体１の内部に備えるだけでよいことから、複雑な機構を要さずにスリ犯等による盗難を防止することができる。しかも、操作棒８を押し込んでスライド規制部材１２の挿通孔１３に挿通させた状態では、操作棒８の摘み部１１のみが外部に露出する。したがって、見栄えが良好に保持されるとともに、スリ犯等が操作棒８の存在に気付き難いという利点がある。操作棒８の存在に気付かないままスライダ４を動かすと、少し動かした時点でスライダ４が不意に停止されるので、スリ犯等にとってはその時点で犯行を諦めるように作用する。
【００２４】
なお、本例の引き手５はそれ自体にロック機構を有さないタイプのものであるが、この引き手５に適宜のロック機構を備えておき、引き手５を倒した姿勢ではスライダ４の移動がロックされ、引き手５を起こすとロックが解除されるように設けてもよい。この場合、操作棒８を外に引き出し、引き手５を起こしたうえでないとスライダ４が移動しないので、防犯機能は更に向上することになる。
【００２５】
また、操作棒８を内方に押し込んだ位置において、該操作棒８の摘み部１１の上面と、スライダ４の引掛け部６の上面とが、僅かな隙間を介して略面一に連続するように設けてあってもよい。この場合、外観上は操作棒８とスライダ４とが一体化しているように見えるので、操作棒８の存在を更に気付き難くすることができる。
【００２６】
また、本例では引き手５に操作棒８を連結させた構造としているが、図示のような引き手５を介在させることなく操作棒８を直接スライダ４に連結させる構造であってもよい。
【００２７】
また、収納体１内にスライド規制部材１２を配置しない構造であってもよい。この場合であっても、操作棒８を収納体１内に押し入れて隠しておけば、スリ犯等にとってはスライダ４を動かすことが困難となり、盗難の被害にあうことが防止される。加えて、ファスナテープ２間を封止してある間は操作棒８の大部分が収納体１内に隠れるので、見栄えが良好となる。
【図面の簡単な説明】
【００２８】
【図１】本発明の実施形態における一例のファスナ装置を備えた収納体の説明図である。
【図２】同上のファスナ装置において、操作棒を引き出すことなくスライダを移動させた場合の説明図である。
【図３】同上のファスナ装置において、操作棒を引き出した場合の説明図である。
【図４】同上のファスナ装置において、操作棒を引き出したうえでスライダを移動させた場合の説明図である。
【図５】同上のファスナ装置に備える操作棒の説明図であり、（ａ）は操作棒を出し入れする様子を示し、（ｂ）は操作棒を揺動させる様子を示している。
【符号の説明】
【００２９】
１  収納体
２  ファスナテープ
３  務歯
４  スライダ
８  操作棒
１２  スライド規制部材
１３  挿通孔
【図１】
2010057689.tif 000003
【図２】
2010057689.tif 000004
【図３】
2010057689.tif 000005
【図４】
2010057689.tif 000006
【図５】
2010057689.tif 000007